(57)【特許請求の範囲】
【請求項１】
ストライカに係合して、前記ストライカとの前記係合を保持するように閉じる、ラッチ・アセンブリであって、
ハウジングと、
前記ハウジング上にて開き位置と閉じ位置との間で回転するように前記ハウジングに対して取付けられた、パドルと、
前記開き完全に開いた位置と前記閉じ完全に閉じた位置との間で回転するように前記ハウジング内に取付けられて、前記ストライカと係合したとき前記ストライカによって、前記完全に閉じた位置に移動させられる、回転式止め歯と、
前記パドルに取付けられて、前記パドルの運動回転により前記止め歯に係合して、かつ、前記パドルが前記完全に開いた位置にあるとき、前記止め歯を保持して回転させない、係止プレートと、を備え、
前記パドルが前記開き位置にあるとき、前記係止プレートは摩擦干渉接触により前記止め歯を保持することで、前記パドルもまた前記開き位置に保持されて、前記止め歯が前記ストライカーと係合するとき、前記回転式止め歯は移動して、前記回転式止め歯の前記ストライカに対する係合運動によって前記係止プレートとの前記摩擦干渉が克服されて、前記回転式止め歯が前記完全に閉じた位置にあるとき、前記パドルは前記閉じ位置にある、ラッチ・アセンブリ。
【請求項２】
前記パドルを前記閉じ位置へと付勢する第１トーションスプリング、および、前記止め歯を完全に開いた位置へと付勢する第２トーションスプリングを更に含む、請求項１記載のラッチ・アセンブリ。
【請求項３】
前記パドルはグースネック形状をなす一対の回動アームを含み、該各アームは平行に伸びる案内路溝を有し、
前記係止プレートは、前記パドルの夫々の案内路溝間に前記係止プレートが伸びて前記案内路溝内に乗るために前記係止プレートの両端に脚部を夫々有する細長形状である、請求項２記載のラッチ・アセンブリ。
【請求項４】
前記パドルが閉じられたときに前記係止プレートは前記止め歯を前記閉じ位置に保持し、
前記係止プレートは、前記止め歯を前記摩擦干渉接触により保持する第１傾斜表面を含むと共に、前記止め歯を当接干渉により前記閉じ位置に保持する第２表面も含む、請求項３記載のラッチ・アセンブリ。
【請求項５】
前記止め歯は、前記止め歯によって回転させられる一対の片持ちシャフトと、湾曲後縁部と、ストライカ係合スロットと、付勢スプリング用スロットと、後側捕捉フィンガとを含み、
前記第２トーションスプリングは、前記止め歯の付勢スプリング用スロットに係合するループと、前記ループに接続された一対のスプリング・コイルと、前記コイルの各々から夫々が伸びる一対の端部脚部であって前記コイルが前記片持ちシャフト上に取付けられたときに前記ハウジングに当接して作用する一対の端部脚部とを含み、
更に、前記止め歯の後側捕捉フィンガは前記係止プレートの前記第２表面と接触する、請求項４記載のラッチ・アセンブリ。
【請求項６】
前記ハウジングは、その片持ちシャフト上で前記パドルが回転すると共に一方の片持ちシャフトは更に長寸である一対の片持ちシャフトを含み、
前記第１トーションスプリングは、単一コイルと、一方は前記パドルに当接して作用し他方は前記ハウジングに当接して作用する一対の端部脚部とを含み、
前記第２トーションスプリングの前記コイルは前記ハウジングの長寸である方の片持ちシャフトに対して取付けられる、請求項５記載のラッチ・アセンブリ。
【請求項７】
前記ハウジングは、前記パドルが前記閉じ位置にあるときに前記パドルが当接するリング状バンパを含み、
前記パドルのアームは各々、半円形のジャーナル部材と、その下方の開口と、該開口内で作用すると共に前記半円形のジャーナル部材内へと伸びるスプリング部材であって、ハウジングの片持ちシャフトに係合する湾曲表面を有するスプリング部材と、を含む、請求項６記載のラッチ・アセンブリ。
【請求項８】
前記パドルは下方に伸びる裾部を有すると共に、前記ハウジングは上方に伸びる裾部と一対の当接先端とを備えた後壁部を有し、
前記パドルが前記閉じ位置にあるときに、前記パドルの裾部および前記ハウジングの裾部はそのラッチ・アセンブリの外側背面を遮断し、前記当接先端は前記パドルの裾部および前記ハウジングの裾部の完全接触を阻止する、請求項７記載のラッチ・アセンブリ。
【請求項９】
手動で組立てることができる、請求項８記載のラッチ・アセンブリ。
【請求項１０】
ハウジングと、
前記ハウジング上にてグースネック回動点により回転するように前記ハウジングに対して取付けられたパドルであって、開き位置と閉じ位置との間で作用可能であることにより低い外郭形状を提供すると共に、自身上に少なくとも一本の案内路を有するパドルと、
前記パドルの案内路内で摺動するために少なくとも１つの前記案内路に係合する係止プレートと、
前記開き位置と前記閉じ位置との間で回転するように前記ハウジング内に取付けられた止め歯と、
前記パドルを前記閉じ位置へと付勢する第１トーションスプリングと、
前記止め歯を前記開き位置へと付勢する第２トーションスプリングと、を備え、
前記係止プレートは、前記係止プレートの一方の表面により前記止め歯を閉じて保持し、前記係止プレートの別の表面により前記止め歯を開いて保持する、請求項１に記載のラッチ・アセンブリ。
【請求項１１】
前記係止プレートは、前記ハウジングと定常的に接触するように外方に伸びる移動アームも含む、請求項１０記載のグラブボックス用ラッチ・アセンブリ。
【請求項１２】
前記第１トーションスプリングは、前記パドルに当接する第１脚部と、前記ハウジングに当接する第２脚部とを有し、
前記第２トーションスプリングは、前記止め歯に係合するループと、前記ハウジングに係合する一対の脚部とを含む、請求項１１記載のグラブボックス用ラッチ・アセンブリ。
【請求項１３】
前記パドルが前記開き位置と閉じ位置との間で移動されるとき前記係止プレートは前記パドルの各案内路に沿い移動する、請求項１２記載のグラブボックス用ラッチ・アセンブリ。
【請求項１４】
前記係止プレートは、前記止め歯が前記閉じ位置にあるときには前記止め歯と当接干渉し、前記止め歯が前記開き位置にあるときには前記止め歯と摩擦干渉し、該摩擦干渉はまた前記パドルを前記開き位置に保持する、請求項１３記載のグラブボックス用ラッチ・アセンブリ。
【請求項１５】
複数の壁部であって、当該壁部の２つが平行に伸びる壁部を有するパドルと、
前記パドルの２つの平行な壁部のそれぞれに、それぞれ平行に伸びるよう対置された一対の案内路溝と、
前記パドルの対置された前記一対の案内路溝間を伸びる係止プレートであって前記溝内に乗ると共に、前記パドルが前記開き位置にあるときに前記傾斜表面にて前記止め歯に対して係合するための傾斜表面を含む係止プレートとを備える、
請求項１に記載のラッチ・アセンブリ。
【請求項１６】
前記止め歯に対する前記係止プレートの傾斜表面の係合は摩擦干渉係合である、請求項１５記載のラッチ・アセンブリ。
【請求項１７】
前記パドルが前記閉じ位置にあるときに前記係止プレートは当接により他方の表面上において前記止め歯に係合する、請求項１６記載のラッチ・アセンブリ。
【請求項１８】
前記係止プレートは前記パドルの移動により、前記止め歯に対する前記摩擦干渉位置と前記止め歯に対する前記当接係合位置との間で移動される、請求項１７記載のラッチ・アセンブリ。
【請求項１９】
前記パドルの前記移動は前記開き位置から前記閉じ位置までである、請求項１８記載のラッチ・アセンブリ。
【請求項２０】
前記係止プレートの前記摩擦干渉は前記パドルも前記開き位置に保持し、前記当接係合は前記止め歯を前記閉じ位置に保持する、請求項１９記載のラッチ・アセンブリ。
【請求項２１】
前記係止プレートは、前記ハウジングと定常的に接触するように前記係止プレートから伸びる移動アームを含む、請求項１８記載のラッチ・アセンブリ。
【請求項２２】
前記パドルを前記閉じ位置へと付勢し、前記パドルと当接する第１脚部および前記ハウジングと当接する第２脚部を有する第１トーションスプリングを更に含む、請求項２１記載のラッチ・アセンブリ。
【請求項２３】
前記止め歯を前記開き位置へと付勢し、前記止め歯と係合するループと前記ハウジングに係合する一対の脚部とを有する第２トーションスプリングを更に含む、請求項２２記載のラッチ・アセンブリ。
【請求項２４】
前記パドルと前記ハウジングとの間で接触して作用する、前記係止プレートに対してスプリング作用を更に含む、請求項２３記載のラッチ・アセンブリ。
【請求項２５】
前記係止プレートの移動アーム、前記第１および第２のトーションスプリング、および、前記張力を常時保つスプリングは、前記ラッチ・アセンブリにおける振動を減衰するように作用する、請求項２４記載のラッチ・アセンブリ。
【請求項２６】
前記パドルは前記平行に伸びる２つの壁部上で回動し、各壁部は、グースネック型回動を前記パドルに対して提供する回動点を有し、
前記パドルの各回動壁部は前記パドルが前記開き位置に到達したときに前記ハウジングと当接するフィンガを含み、前記ハウジングに当接する前記各フィンガの当接動作が前記パドルが前記開き位置に到達したことの可聴的表示を提供する、請求項２５記載のラッチ・アセンブリ。
【請求項２７】
ハウジングと、
前記ハウジング上にて開き位置と閉じ位置との間で回転するように前記ハウジングに対して取付けられたパドルと、
前記ハウジング内に取付けられた回転式止め歯と、
前記パドル上に担持された係止プレートであって、前記パドルの運動により前記止め歯に係合するように配置された係止プレートと、を備え、
前記パドルが完全に開かれたとき、前記係止プレートは前記止め歯を保持することで、前記パドルが前記開き位置に保持される、ラッチ・アセンブリ。
【請求項２８】
前記係止プレートは摩擦干渉接触により前記止め歯を保持する、請求項２７記載のラッチ・アセンブリ。
【請求項２９】
前記係止プレートは傾斜表面を含み、
前記係止プレートは前記パドルが前記開き位置にあるときに前記傾斜表面にて前記止め歯に対して係合する、請求項２７記載のラッチ・アセンブリ。
【請求項３０】
前記係止プレートは少なくとも第一の表面および第二の表面を含み、
前記係止プレートは、前記第一の表面にて閉じた前記止め歯を保持し、前記第二の表面にて開いた前記止め歯を保持する、請求項２７記載のラッチ・アセンブリ。
【発明の詳細な説明】
【技術分野】
【０００１】
本出願は、“グラブボックス用回転止め歯式ラッチ（Ｒｏｔａｒｙ  Ｐａｗｌ  Ｇｌｏｖｅ  Ｂｏｘ  Ｌａｔｃｈ）”と称されて２００６年３月１３日に出願されると共に言及したことによりその全ての開示内容は本明細書中に援用される米国仮出願第６０／７８２，７７８号の優先権を主張する。
【背景技術】
【０００２】
本発明は、自動車などのグラブボックス用ラッチに関する。詳細には本発明は、回転止め歯式ラッチを閉じる強打式閉じ器（ｓｌａｍ）に関する。
【０００３】
自動車などの輸送車両において見られる格納区画およびグラブボックスは概略的に、ラッチを閉じる強打式閉じ器を有する。ラッチを閉じるこれらの強打式閉じ器は、操作者が押圧動作によりパネル、グラブボックス扉または格納区画を閉じることにより、ラッチをストライカに対して着座させ且つラッチを係止位置へと閉じることができる様にも機能する。
【０００４】
斯かる車両において遭遇する動きおよび振動によれば、ワイヤ（バー形式）ストライカに対して積極的に係合する回転止め歯式ラッチの使用が促進される。ラッチに対する目的は、過剰な運行振動に委ねられたとき、または、事故において遭遇する車体トルクおよび軋みに委ねられたときでさえも、格納区画もしくはグラブボックスを閉じたまま保持することである。
【０００５】
自動車の内装にてはプラスチックが多用されることから、ラッチの構造材料に対するプラスチックの多用が促進されている。しかし、これらのプラスチック製ラッチの構成要素は使用時に、ラッチの金属同等物よりも更に容易に摩耗、疲労し、さもなければ崩壊する。機能性および動作特徴に加え、斯かるラッチに対する設計検討事項は今や、材料の強度に関する検討事項、ならびに、操作の容易さ、耐久性および疲労に関する点も含んでいる。更に、ラッチのサイズおよび製造コストもまた検討事項になることがある。ラッチにおける構成部品の個数が多いほど、概略的には、ラッチが占有する“動作範囲”は大きい。また多くの場合、構成要素の個数を減らすと、動作範囲のサイズは小さくなる。
【０００６】
一定のラッチはグースネック形状のハンドル・レバーを含み、レバーは、ラッチが取付けられるパネルもしくは扉の表面の下方にハンドルの回動点が配置されることを許容すると共に、ハンドルがパネルもしくは扉の上方に向けて外方に引張られることを許容する。
【０００７】
ヤングの特許文献１は、ベース・プレートと、このベース・プレートにある窪みと、スプリングによって開いた位置に移動させられて、ボルト１２２６（ストライカとして機能する）と係合して保持する、回転止め歯として機能する、偏心した回転カム・プレートと、および、第二のスプリングによって閉じ位置に移動する、キャッチとを備えた、ラッチを示している。このキャッチは、回転止め歯８を閉じ位置に保持する、ロック・バーのように機能する。スウェーデン、セーデルテリエのスカニア・エー・ビー社（Ｓｃａｎｉａ，  Ａ．Ｂ．）および米国、ペンシルバニア州、コンコルドビルのサウスコ社（Ｓｏｕｔｈｃｏ，  Ｉｎｃ．）はいずれも、グースネック形状のハンドル・レバーを備えたグラブボックス用回転止め歯式ラッチを閉じる強打式閉じ器を導入している。これらのラッチは、複数の付勢スプリングを備えたプラスチック製構成要素で構成されている。斯かるラッチは、ジェフリー・アントナッチ等の特許文献２および特許文献３により記述されている。これらのラッチは、本発明が着目する、様々な課題を有している。
【０００８】
【特許文献１】英国特許第０５６１５３８号
【特許文献２】米国特許第５，９２７，７７２号
【特許文献３】米国特許第６，０４８，００６号
【発明の開示】
【発明が解決しようとする課題】
【０００９】
本発明の目的は、回転止め歯式ラッチを閉じる小さな体積（小さな動作範囲）の強打式閉じ器を開発することである。
【００１０】
二次的には、最小限とされた個数の構成要素を備えたラッチを開発することが目的である。
【００１１】
最小限とされた個数の付勢スプリングを備えたラッチを開発することも目的である。
【００１２】
更なる目的は、ラッチのパドルを引張ることにより起動されて開くラッチであって、パドルはラッチが閉じられるまで開き位置に保持されるラッチを開発することである。
【００１３】
更に、振動を受けたときにガタツキおよび騒音を最小限とする如きラッチを開発することも目的である。
【課題を解決するための手段】
【００１４】
ストライカに係合して、前記ストライカとの前記係合を保持するように閉じる、ラッチ・アセンブリであって、ハウジングと、前記ハウジング上にて開き位置と閉じ位置との間で回転するように前記ハウジングに対して取付けられた、ハンドル形状を有する、パドルと、前記開き位置と前記閉じ位置との間で回転するように前記ハウジング内に取付けられて、前記ストライカと係合して前記閉じ位置に移動する、回転式止め歯と、前記パドルによって担持され、前記パドルが完全に前記開き位置にあるときに前記パドルの運動により、前記止め歯に係合するように移動して、前記運動をしないように前記止め歯を保持する、係止プレートと、を備え、前記パドルが完全に開かれたとき、前記係止プレートは摩擦干渉接触により前記止め歯を保持することで、前記パドルもまた前記開き位置に保持されて、前記回転式止め歯は移動して、前記回転式止め歯の前記ストライカに対する係合運動によって前記摩擦干渉が克服されて、前記回転式止め歯が前記閉じ位置にあるとき、前記パドルは前記閉じ位置にある、ラッチ／アセンブリが、本発明である。
本発明の目的は、ハウジングと、ハウジング上で回転するようにハウジングに対して接続されたパドル構造体と、ハウジング内で回転するようにハウジングに対して取付けられた回転式止め歯と、パドル構造体により担持されることで回転式止め歯に対して選択的に係合して止め歯の動きを阻止する係止プレートとを有する、グラブボックス用ラッチを閉じる強打式閉じ器により実現される。回転式止め歯はループ形式トーションスプリングにより、開き位置へとスプリング付勢される。パドル構造体はトーションスプリングにより、閉じ位置へとスプリング付勢される。パドル構造体は案内路を含み、案内路内で係止プレートは作用する。
【００１５】
パドルが開き位置へと移動されたとき、止め歯は解放されて回転することで開かれ且つ係止プレートは止め歯との干渉摩擦位置へと移動される。この干渉摩擦位置は、止め歯および係止プレートの両方の位置を固定する。係止プレートの位置を固定するとパドル構造体の位置が固定される、と言うのも、係止プレートは係止プレートの案内路に当接して結合（干渉）するからである。これにより、パドルは開き位置に保持される。
【００１６】
止め歯がラッチの強打動作により強制的に閉じられたとき、パドルの案内路に対する係止プレートの干渉摩擦は解除され、すなわち克服され、パドル構造体は閉じ位置に戻る。付勢は、２つのスプリングに制限される。ラッチの体積（動作範囲）は、更に多くの付勢スプリングを含む更に多くの構成要素を備えたラッチと比較して最小限とされる。これは、高位回動点を提供することにより更に促進される。
【００１７】
ラッチの強打動作は、ラッチが取付けられるパネルもしくは扉を操作者が強制的に閉じることで、または、ラッチのパドルに抗して力を加えることにより行われる。いずれの動作によっても、止め歯はストライカに係合し且つ自身の回転が強制されることから、干渉摩擦は解除される。
【００１８】
ハウジングは、パドル構造体に当接する壁部であってラッチの操作者側の端部を遮断する壁部を含む。ハウジングは、閉じ位置においてパドル構造体が乗り掛かり又は当接するバンパも含む。ラッチは２本の回転シャフトに制限され、その一方は片持ちシャフト端部を備えた分割シャフトである。ラッチは、弾性係止的な組立てにより、工具なしで組立られることができる。すなわち、このラッチは手動で組み立てることができる。一旦、弾性係止されたなら、ラッチの分解は意図されない。
【発明を実施するための最良の形態】
【００１９】
本発明の特徴、利点および作用は、同様の番号は同様の要素を指す添付図面と共に以下の詳細な説明により容易に明らかとなり且つ更に理解されよう。
【００２０】
本発明は、図１から図６のグラブボックス用ラッチ・アセンブリ５１を閉じる強打式閉じ器である。ラッチは、ハウジング５３とパドル５５とによるアクチュエータを備えた単一点式のグラブボックス用ラッチである。ラッチ・アセンブリ５１は、回転式止め歯５７、完全に案内された係止プレート５９を含むと共に、グースネック形式の回動点８３を有する。パドル５５は、トーションスプリング６３により閉じ側に付勢される。止め歯５７は、第２トーションスプリング６１により開き位置へと付勢される。
【００２１】
ラッチ・アセンブリは、パドルを引張ることにより起動される。その後にパドルは、ラッチが閉じられるまで開き位置に留まる。ラッチは、パドルを押し込むことにより回転式止め歯をストライカ・ワイヤと相互作用させることで閉じられる。係止プレートは完全に案内されることにより、ラッチ・アセンブリからのガタツキ音または騒音を減少もしくは排除する。
【００２２】
図１から図６のラッチ・アセンブリ５１は、ハウジング５３上で回転するように取付けられたパドル５５と、ハウジング５３内で回転するようにハウジングに対して取付けられた回転式止め歯５７とを備えたハウジング５３を有する。ハウジング内においてその案内路間に配置された係止プレート５９はパドルが移動するときにパドル構造体５５により移動されることで、回転式止め歯５７に対して選択的に係合して止め歯の動きを阻止する。パドル５５および止め歯５７に対する高位の回動点８３によれば、ラッチ・アセンブリが更に低い外郭形状および減少された体積（動作範囲）を備えることが促進される。
【００２３】
図１から図６においてグラブボックス用ラッチ・アセンブリ５１は、完全に閉じられた位置で示される。回転式止め歯５７は、止め歯５７のいずれかの側にコイルを有するループ形式トーションスプリング６１により開き位置へとスプリング付勢される。パドル構造体５５は、単一のコイルと、それから伸びている一対の脚部６７、６９とを有するトーションスプリング６３により、完全閉じ位置へとスプリング付勢される。止め歯のループ形式トーションスプリング６１は、ハウジング５３に当接して作用する２つの端部脚部６５と、止め歯５７に当接して作用するループ６４とを有する。パドルのトーションスプリング６３は、ハウジング５３に当接して作用する第１端部脚部６７と、パドル構造体５５に当接して作用する第２端部脚部６９とを有する。
【００２４】
パドル構造体５５は、図２、図４、図５および図６の如く平行に伸びる（回動アームの）一対の壁部７１、７３を含む。回動アームの壁部７１、７３はグースネック形状とされる。回動アームの各壁部７１、７３は、係止プレート５９が案内路内で動作する夫々の案内路７５、７７と、回動点８３と、グースネック形状の“肘部”におけるフック状バンパ部材８５とを含む。対向するこれらの案内路７５および７７は、夫々の壁部７１および７３に沿い平行に伸びる。係止プレート５９は、夫々の端部における端部脚部７９を備えた細長い構造である。これらの端部脚部７９は夫々の案内路７５、７７内で作動し、これにより、係止プレート５９は案内路溝７５と７７の間を伸びる。図２および図６におけるハウジング５３の底壁部８１は、係止プレート５９の全体に亙り伸びている。
【００２５】
パドル５５は、図４および図５のグースネック回動点８３を有する。これによれば、パドル５５と、ラッチ・アセンブリ５１が取付けられる任意のグラブボックスとの間に必要とされる間隙が更に小寸とされることができる。圧縮スプリングの代わりにトーションスプリング６１、６３を使用すると、圧縮スプリングに見られる“軋み”騒音が減少もしくは排除される。係止プレート５９は、ハウジング５３の底壁部８１と、パドルに平行に伸びる側壁部７１、７３における案内路７５、７７とにより、拘束される。この拘束により、係止プレート５９の不都合な移動もしくは振動は阻止される。パドル構造体５５において生ずる一切の振動は、常に一定の張力下にある構造のトーションスプリング６３により緩衝される。回転式止め歯５７において生ずる一切の振動は、常に一定の張力下にある止め歯のトーションスプリング６１により緩衝される。係止プレート５９は、その脚部７９の各々が夫々の案内路７５、７７の後壁部に対して圧力を及ぼすことで係止プレート５９上では“張力を常時保つスプリング”動作が生成される様に寸法設定される。
【００２６】
パドル５５が全開され且つパドル５５の側壁部７１、７３が回動点８３の回りで完全に回転されたとき、係止プレート５９は、摩擦干渉係合でプレートの傾斜表面１１９により回転式止め歯５７と係合する。パドルの各側壁部７１、７３の回転行程は、図７から図１２のハウジングの後壁部８９の各側の突出ショルダ８７に対する、各側壁部７１、７３上の突出フィンガ８５の当接により制限される。これにより、フィンガ８５がショルダ８７に衝突したときに可聴当接音が提供される。
【００２７】
図７から図１２は、開き位置にあるラッチ・アセンブリを示している。開き位置においてパドル構造体５５の把持プレート９１は、場合に応じて上昇され、すなわち、外方または上方に回動される。図７から図１２の開き位置は、操作者が把持プレート９１をパドルのトーションスプリング６３の力に抗して引張ることにより達成される。開き位置において止め歯５７はそのスプリング６１の力により止め歯の開き位置へと自由に回転することから、止め歯５７は、図８および図１２の如くハウジング５３のフック状部材９３の部分から離間して回転される。ハウジングのフック部材９３は、止め歯５７がフック部材９３の壁部の延長部内へと閉じられるとき完全にストライカ・ワイヤの捕捉をする。
【００２８】
図３ｂおよび図９ｂの如く、パドル構造体５５は下方に伸びる裾部９５を有する一方、ハウジングの後壁部８９は上方に伸びる裾部９７を有する。これらの裾部９５、９７は、パドル構造体が図３の閉じ位置にあるときにラッチ・アセンブリ５１の外側後端部が遮断される様に相補的である。ハウジング５３の後壁部８９の両側には一対の当接先端９９が配置され、当接先端は、閉じ位置へのパドル構造体５５の戻り動作に対する停止部として作用する。これらの当接先端９９は、図３ｂにおけるパドルの裾部９５の底面と接触し、その接触が無ければ生ずる２つの裾部９５、９７の完全接触を阻止する。これにより、騒音が減少されると共に、ラッチが閉じられたときに積極的な“クリック”音が提供される。
【００２９】
図１３の如くパドル構造体５５はハウジング５３上で回動する一方、図１３の分解アセンブリ図に示された如く一対の片持ちシャフト１０１、１０３を担持するのはハウジング５３であり、パドル５５はシャフト上で回動する。左側の片持ちシャフト１０３は更に長寸とされることで、自身上におけるパドルの付勢スプリング６３の取付けに対処している。
【００３０】
細長い係止プレート５９は、両端部における端部脚部７９を備えたバー形状である。これらの端部脚部７９はカム従動子として作用する。係止プレート５９は、案内路７５、７７内に乗り且つ案内路間に伸びて、パドルの側壁部７１、７３に対して上下動されるからである。
【００３１】
パドル構造体５５の平行に伸びる２つの側壁部７１、７３は、強固な構造を提供する。パドルの各側壁部７１、７３は、図２および図８の如くほとんど半円形のジャーナル部材１０５にて終端する。これらのジャーナル部材１０５の各々は、図１、図７および図１３の如く接線が交わる壁部１０９、１１１により形成される。張力を常時保つスプリング、すなわち、内方傾斜フィンガ１１３は、図４、図５、図１０、図１１の如く三角形状開口１０７内へと伸びている。各傾斜フィンガ１１３の端部は湾曲１１５されている。この湾曲１１５は、部材１０５とともにジャーナル表面を完成する。
【００３２】
図４、図５、図１０および図１１の如く、パドルの各ジャーナル部材１０５の端部はキャップ装着１１７されることで、夫々の片持ちシャフト１０１、１０３の端部の位置を保持する。ハウジング５３は当接先端９９に加え、パドル構造体５５がその完全閉じ位置にあるときに把持プレート９１の内向き表面に当接する図１３のリング形状バンパ１２１を有する。
【００３３】
係止プレート５９は、図１３の如く止め歯５７の後部縁表面１２３に沿い乗り掛かる傾斜表面１１９であって干渉摩擦“係止”位置において止め歯５７に係合する傾斜表面１１９を有する。止め歯５７は各側に一つ、一対の片持ちシャフト１２５を有する。止め歯の付勢スプリング６１は、その端部脚部６５を、ストライカに係合する止め歯５７の端部から離間する方向に向けて、片持ちシャフト１２５上に組付けられる。止め歯５７は、図１３および図１４の如くハウジングの壁部を貫通する夫々の回動孔１２９であって止め歯用キャビティ１２７の並置側壁部の各々におけるスプリング用キャビティ１３１内の回動孔１２９において各片持ちシャフト１２５を回動させ乍ら、ハウジング５３におけるキャビティ１２７内で動作する。
【００３４】
止め歯の付勢スプリング６１は止め歯５７上に組付けられ、止め歯はハウジング５３の止め歯用キャビティ１２７内へと押し込まれる。各スプリング用キャビティ１３１の外壁の内側面は、回動孔１２９に通ずる僅かな内方傾斜１３３を有する。図１４のこの傾斜１３３によれば、止め歯５７の回動シャフト１２５がスプリング用キャビティ１３１内へと下方に移動するにつれ、キャビティ１３１の各壁部は離間して拡開される。すると、各回動シャフト１２５は夫々の回動孔１２３内へと弾性係止して、止め歯５７は止められる。自身の付勢スプリング６１を担持する止め歯５７がキャビティ１３１内へと下方に移動するにつれ、スプリング６１の端部脚部６５はキャビティ１３１の後壁により垂直位置へと付勢される。これにより、図１５の如く止め歯の付勢スプリング６１には積極的張力が加えられる。
【００３５】
図１４および図１５のハウジング下位アセンブリは、手作業で（手動で）組立てることができる。更なる組立てとしては、ハウジングの長寸である方の片持ちシャフト１０３上へとパドルの付勢スプリング６３を取付けること、および、図１５の如く、ハウジング５３の底壁部８１とハウジングの頂壁部１３５との間においてハウジング５３内へと係止プレート５９を摺動させることが挙げられる。そのとき、図１５の如くハウジングの下位アセンブリ１３７は完成する。次に、図１６の如くハウジングの下位アセンブリ１３７上へとパドル構造体５５が押し付けられる。それを行う上で、パドル構造体の各側壁部７１、７３の三角形状開口１０７はハウジング５３の片持ちシャフト１０１、１０３上を通り越し、夫々の張力を常時保つスプリング・フィンガ１１３はシャフト１０１、１０３が乗り越えられるまで外方に拡開される。次にシャフト１０１および１０３は内方に弾性係止し、各片持ちシャフト１０１、１０３は、端部キャップ１１７およびジャーナル表面１０５により、張力を常時保つスプリングの湾曲表面１１５に当接して確実に所定位置に保持される。各張力を常時保つスプリング１１３は止め歯の夫々の片持ちシャフト１０１、１０３に対して圧力を及ぼすことで、振動を減衰する。パドル構造体５５は、開き位置および閉じ位置の間において、ハウジング５３上で自由に回動する。
【００３６】
もし回動点がパドルの頂縁部の下方であったなら、この点の上方にあるパドル構造体の一切の部分はグラブボックス扉の表面内において表面に向けて回転することからパドルの頂縁部および側縁部とグラブボックス扉との間には隙間が必要とされる。回動点の下方におけるパドル部分のみがグラブボックス扉の表面から離間して回転するからである。
【００３７】
パドルの側壁部７１、７３は、パドル構造体およびその把持プレート９１に対する高位のグースネック回動点を確立する。起動されたときにパドル５５およびその把持プレート９１は、高位回動点を有すると共に、グラブボックス扉の表面から離間して回転する。本発明のラッチ・アセンブリにおける高位回動点は、パドル全体が回動点の下方にあることから、パドル全体がグラブボックス扉の表面から離間して回転することで、必要な間隙が減少されることを意味する。
【００３８】
図１８および図１９は、高位回動点を有する本発明のラッチ・アセンブリ５１が扉パネル１３９に取付けられると共に、操作に必要な間隙が減少された状態を示している。図２０および図２１は、着脱可能なパネルに対して取付けられたラッチ・アセンブリ５１を示している。これらの図は、ラッチ・アセンブリ５１の小さな動作範囲を示している。
【００３９】
回転式止め歯５７は図２２の如く、付勢スプリング用スロット１４１、ストライカ・ワイヤ係合用スロット１４３および後側捕捉フィンガ１４５を有する鉤爪形状である。図２２の閉じ位置において止め歯５７の後側フィンガ１４５は、係止プレート５９と重なり合うことでプレートに対し自身の一面（上側表面１５７）上で当接し、ワイヤ・ストライカ１５１との係合のために止め歯のストライカ係合用スロット１４３をハウジング５３のフック形状部材内へと保持する。パドルの把持プレート９１を上昇させるとパドル構造体５５は回転することから、止め歯５７が図２５の開き位置へと自由に回転する様に係止プレート５９は、止め歯の後側捕捉フィンガ１４５との当接接触から外方に離間してフィンガの背後へと移動し、その場合に止め歯の湾曲後縁部１２３は、対向表面上の傾斜表面１１９である係止プレート５９の対向表面（正面）に係合する。
【００４０】
図２３は、アセンブリの詳細と、ハウジングの回動シャフト１０３、ジャーナル表面１０５、１１５および張力を常時保つスプリング保持フィンガ１１３の相互作用とを示している。図２４は、ハウジング５３、パドルの付勢スプリング６３、および、ハウジングと相互作用するスプリングの端部６７であってスプリング用係合部材１４７に当接する端部６７の相互作用を示している。
【００４１】
図２５は、回転式止め歯５７の後縁部１２３に当接する係止プレート５９の傾斜表面１１９の干渉摩擦力により開いて保持されたパドル５５を示している。パドル５５は、そのトーションスプリング６３の力を受けて、パドルの閉じ位置に戻ろうとしている。これにより、係止プレートの傾斜表面１１９は、止め歯の湾曲後縁部１２３との“摩擦接触”へともたらされる。これにより係止プレート５９の移動が停止され、すると係止プレートはパドル５５の移動を停止させる。これにより、パドル５５は開いて保持される。
【００４２】
ラッチ・アセンブリ５１が強打されて閉じられるとき、パドル５５に対しては圧力が及ぼされる。ストライカ係合用スロット１４３は、開き位置まで回転している。干渉摩擦力は、パドルの付勢トーションスプリング６３における大きな張力により引き起こされる。
【００４３】
図２６は、パドル壁部の案内路７７における係止プレートの端部脚部７９の位置、および、パドル壁部のフィンガ８５とハウジング後壁部の突出ショルダ８７との当接により確立された積極的な開き位置行程を示している。
【００４４】
図２７から図３２は、閉じられたラッチ・アセンブリ５１であってストライカ・アセンブリ１４９に係合しているラッチ・アセンブリ５１を示す図であり、その場合にストライカ・ワイヤ１５１は止め歯５７のワイヤ用スロット１４３により捕捉されている。図３３は図２４と類似しているが、図３３においてワイヤ・ストライカ１５１は止め歯５７のスロット１４３により捕捉されて示される。
【００４５】
図３４から図３６は、開き位置にあるラッチ・アセンブリであってストライカ・ワイヤ１５１と係合する前のラッチ・アセンブリを示す図である。ラッチ・アセンブリがストライカ・ワイヤ内へと押圧されたとき、止め歯５７は回転せしめられてラッチを閉じる。図３７は図２５と類似するが、図３７においてラッチは、動作矢印１５３に従い閉じられるべく押圧されたとき、すなわち閉じるべく強打されたとき、ストライカ・ワイヤ１５１内へと移動して位置付けられる。
【００４６】
図３８ａから図３８ｅは、パドル構造体５５の各斜視図、平面図、左側面図および右側面図を示している。図３９ａから図３９ｅは、ハウジング部材５３の各斜視図、平面図、側面図および端面図を示している。
【００４７】
図４０ａから図４０ｄは、係止プレート５９の各斜視図、平面図および側面図を示している。これらの図においては、パドル構造体５５の側壁部７３における係合部材と協働することで、パドル５５の回動運動と共に係止プレート５９が運動することを確実にする移動アーム１５５（脚部）も示されている。
【００４８】
図４１ａから図４１ｃは、止め歯５７の付勢スプリング６１が止め歯上に組立てられてから分解された止め歯の斜視図である。スプリング６１は、スプリング用スロット１４１内に保持されたループ６４を有する。止め歯の片持ちシャフト２５は、スプリング６１の２本のコイル６２を保持する中心寄りの大径１２５ａと、回転シャフトとしての外側寄りの小径とにより段状形成される。
【００４９】
図４２ａから図４２ｄは、回転式止め歯５７の各側面図および平面図および底面図である。図４３は、回転式止め歯の付勢スプリング６１の斜視図である。図４４ａおよび図４４ｂは、パドルの付勢スプリング６３の斜視図および平面図である。
【００５０】
本発明は、簡素化されたパネルのためのコンパクトな設計態様を提供する。パドルおよびハウジング上の各当接部材は、過剰回転を防止する。側壁部は、堅固なパドルに対し、容易には破壊されない構造的一体性を提供する。係止プレートは、完全に案内されると共に、ハウジングの各壁部間において容易に上下動する。ハウジングとの連動および係止プレートの端部脚部の張力を常時保つスプリング動作によれば、係止プレートを所定位置に保持するための追加的スプリングの如き付加構成要素の必要性が排除される。
【００５１】
ラッチが閉じ位置にあるとき、パドルはハウジングに当接して着座且つ／又は停止する。係止プレートの移動は、ハウジングの各壁部と、係止プレートの各端部であってパドルの内側壁部上の案内路内に乗る各端部とにより案内される。閉じ位置において、案内路は水平であると共に、係止プレートは回転式止め歯の背後において上昇位置に着座する。止め歯自身のトーションスプリングの力を受けて止め歯は自身が係止プレートに接触するまで回転され、其処で止め歯は所定位置に保持される。
【００５２】
ラッチを開くためにパドルは、パドルの高位回動点の回りでハウジングから回転される。この運動によれば係止プレートは移動されるので、止め歯を解放して回転させることができる。次に止め歯は自身のトーションスプリングの力を受けて、止め歯がハウジング上の停止部に出会うまで回転する。これが生じたときに止め歯の頂部は係止プレートに係合して係止プレートを所定位置に保持し、するとパドルは開き位置に保持され、自身のトーションスプリングの力を受け乍らも閉じ位置に戻ることはできない。
【００５３】
パドルが自身の高位回動点の回りで約１９°だけ回転されたとき、パドルの内側壁部上の案内路溝もまた所定角度で着座して係止プレートを下方に（または、設置方向次第では上方に）引張る。係止プレートは、パドルの運動次第で側壁部の案内路溝を上下動する係止プレートの端部脚部により移動される。係止プレートが溝に沿い移動されるにつれ、係止プレートはまた止め歯から離間移動することで回転式止め歯を解放し、すると止め歯は自身の付勢スプリングの力を受け、止め歯がハウジングの止め歯用塔状部に出会うまで約４５°だけ自由に回転する。係止プレートは移動できないので係止プレートは、パドルの付勢スプリングの力を受けるパドルが戻ることを許容しない。係止プレートの各端部は溝内に着座し且つ係止プレートの本体は止め歯の縁部に当接して着座するからである。この点に関してパドルのスプリングは、ラッチが閉じるべく強打され又はパドルが押圧されて閉じられるときに克服されるべき力を提供する。これにより、止め歯が係止プレートから自由になり且つ係止プレートおよびパドルは閉じ位置に戻されるまで、係止プレートは止め歯の後縁部に乗り掛かる。
【００５４】
パドルを引張るとき、パドルの内側壁部上の案内路の運動により、係止プレートは移動される。回転された止め歯により保持される係止プレートと、パドルとの干渉により、パドルはラッチが閉じられるまで開き位置に留まる。これにより、ラッチの状態に関する積極的表示が提供される。ラッチのパドルを押し込むことによりラッチは閉じられることから、回転式止め歯はストライカ・ワイヤと相互作用する。これにより、止め歯は閉じ位置まで回転すると共に、係止プレートは自身の戻り位置へと自由に移動する。係止プレートは、パドルのトーションスプリングの力を受けるパドルの運動により、係止プレートの戻り位置へと移動される。
【００５５】
パドルを戻すためにトーションスプリングを使用すると、圧縮スプリングにより引き起こされる騒音が減少もしくは排除される傾向があり、圧縮スプリングに依るよりも更に均一な感触が提供される。更に振動騒音が減少される。係止プレートはハウジングおよびパドルにより固定され、開き位置および閉じ位置の両方において係止プレートは別の部材と接触して移動および振動が最小限とされるからである。脚部（移動アーム１５５）はハウジング５５に対して定常的に接触することで、振動を更に減衰する。
【００５６】
パドルにおける振動は、パドルのトーションスプリングにより減衰される。止め歯における振動は、止め歯のトーションスプリングにより減衰される。
【００５７】
パドルに対する高位のグースネック回動点を配備するということは、パドルと、グラブボックスもしくはパネルの表面との間に必要とされる間隙が更に小さいことを意味する。これは、高位回動点によればパドルは開かれるときにグラブボックス表面から迅速に離間回転するからである。
【００５８】
上述された発明においては、その趣旨および有効範囲から逸脱せずに多くの変更が為されることができる。故にの記述は、限定的な意味ではなく例示的な意味で読まれることが意図される。依然として本発明の有効範囲内であると共に発明および添付の各請求項の趣旨内でさらなる置換および変更が為されることができる。
【図面の簡単な説明】
【００５９】
【図１】閉じ位置における本発明のグラブボックス用ラッチ・アセンブリの外側面の斜視図である。
【図２】図１の閉じられたグラブボックス用ラッチ・アセンブリの内側面すなわち下側面の斜視図である。
【図３】図１の閉じられたグラブボックス用ラッチ・アセンブリの外側平面図である。
【図３ａ】図１の閉じられたグラブボックス用ラッチ・アセンブリのストライカ係合端を示す図である。
【図３ｂ】図１の閉じられたグラブボックス用ラッチ・アセンブリのハンドル／パドル端を示す図である。
【図４】図１の閉じられたグラブボックス用ラッチ・アセンブリの右側面図である。
【図５】図１の閉じられたグラブボックス用ラッチ・アセンブリの左側面図である。
【図６】図１の閉じられたグラブボックス用ラッチ・アセンブリの内側面すなわち下側面の平面図である。
【図７】開き位置にある本発明のグラブボックス用ラッチ・アセンブリの外側面の斜視図である。
【図８】図７の開かれたグラブボックス用ラッチ・アセンブリの内側面の斜視図である。
【図９】図７の開かれたグラブボックス用ラッチ・アセンブリの外側平面図である。
【図９ａ】図７の開かれたグラブボックス用ラッチ・アセンブリのストライカ係合端を示す図である。
【図９ｂ】図７の開かれたグラブボックス用ラッチ・アセンブリのハンドル／パドル端を示す図である。
【図１０】図７の開かれたグラブボックス用ラッチ・アセンブリの右側面図である。
【図１１】図７のグラブボックス用ラッチ・アセンブリの左側面図である。
【図１２】図７のグラブボックス用ラッチ・アセンブリの内側平面図である。
【図１３】本発明のグラブボックス用ラッチ・アセンブリの分解斜視図である。
【図１４】本発明のグラブボックス用ラッチのハウジング下位アセンブリの分解斜視図である。
【図１５】図１４の組立てられたハウジング下位アセンブリの内側斜視図である。
【図１６】ハウジング下位アセンブリおよびパドルの分解斜視図である。
【図１７】パドルがハウジング下位アセンブリ上へと弾性係止された後における本発明のグラブボックス用ラッチ・アセンブリの斜視図である。
【図１８】閉じ位置にあると共に下開き型のグラブボックス扉に対して取付けられたグラブボックス用ラッチ・アセンブリの外側斜視図である。
【図１９】図１８のグラブボックス用ラッチ・アセンブリおよび扉の内側斜視図である。
【図２０】着脱可能なパネルに取付けられて閉じ位置にあるグラブボックス用ラッチ・アセンブリの外側斜視図である。
【図２１】図２０のグラブボックス用ラッチ・アセンブリおよびパネルの内側斜視図である。
【図２２】図６に示されて閉じ位置にあるグラブボックス用ラッチ・アセンブリの回転式止め歯に沿う断面図である。
【図２３】図６に示された閉じ位置にあるグラブボックス用ラッチ・アセンブリの回転式止め歯の回転軸取付け部に沿う断面図である。
【図２４】図６に示された閉じ位置にあるグラブボックス用ラッチ・アセンブリの回転式止め歯と止め歯回転軸取付け部との中点に沿う断面図である。
【図２５】図１２に示されて開き位置にあるグラブボックス用ラッチ・アセンブリの回転式止め歯に沿う断面図である。
【図２６】図１２に示されて開き位置にあるグラブボックス用ラッチ・アセンブリの回転式止め歯の回転軸取付け部に沿う断面図である。
【図２７】ストライカ・ワイヤに係合する閉じ位置にあるグラブボックス用ラッチ・アセンブリの外側斜視図である。
【図２８】ストライカ・ワイヤに係合する閉じ位置にある図２７のグラブボックス用ラッチ・アセンブリの内側斜視図である。
【図２９】図２７の閉じられたグラブボックス用ラッチ・アセンブリおよびストライカの外側面すなわち頂部の平面図である。
【図３０】図１７の閉じられたグラブボックス用ラッチ・アセンブリおよびストライカの右側面図である。
【図３１】閉じられたグラブボックス用ラッチ・アセンブリおよびストライカの左側面図である。
【図３２】閉じられたグラブボックス用ラッチ・アセンブリおよびストライカの内側面すなわち底部の平面図である。
【図３３】図３２に示されてストライカに係合する閉じ位置にあるグラブボックス用ラッチ・アセンブリの回転式止め歯に沿う断面図である。
【図３４】開かれたグラブボックス用ラッチ・アセンブリおよびストライカの外側面すなわち頂部の平面図である。
【図３５】ストライカに係合する前における開かれたグラブボックス用ラッチ・アセンブリおよびストライカの左側面図である。
【図３６】開かれたグラブボックス用ラッチ・アセンブリおよびストライカの内側面すなわち底部の平面図である。
【図３７】図３６に示されてストライカに係合する前に開き位置にあるグラブボックス用ラッチ・アセンブリの回転式止め歯に沿う断面図である。
【図３８ａ】パドル部材の各斜視図である。
【図３８ｂ】パドル部材の各斜視図である。
【図３８ｃ】パドル部材の平面図である。
【図３８ｄ】パドル部材の各側面図である。
【図３８ｅ】パドル部材の各側面図である。
【図３９ａ】ハウジング部材の各斜視図である。
【図３９ｂ】ハウジング部材の各斜視図である。
【図３９ｃ】ハウジング部材の平面図である。
【図３９ｄ】ハウジング部材の側面図である。
【図３９ｅ】ハウジング部材の端面図である。
【図４０ａ】係止プレート部材の各斜視図である。
【図４０ｂ】係止プレート部材の各斜視図である。
【図４０ｃ】係止プレート部材の平面図である。
【図４０ｄ】係止プレート部材の側面図である。
【図４１ａ】組立てられた場合の回転式止め歯部材と止め歯付勢スプリング部材の下位アセンブリを示す図である。
【図４１ｂ】個別的に分解された回転式止め歯部材を示す図である。
【図４１ｃ】個別的に分解された止め歯付勢スプリング部材を示す図である。
【図４２ａ】回転式止め歯部材の左側面図である。
【図４２ｂ】回転式止め歯部材の右側面図である。
【図４２ｃ】回転式止め歯部材の頂部平面図である。
【図４２ｄ】回転式止め歯部材の底部平面図である。
【図４３】回転式止め歯付勢スプリング部材の斜視図である。
【図４４ａ】パドル付勢スプリング部材の斜視図である。
【図４４ｂ】パドル付勢スプリング部材の平面図である。
【符号の説明】
【００６０】
５１    グラブボックス用ラッチ・アセンブリ
５３    ハウジング
５５    パドル
５７    回転式止め歯
５９    係止プレート
６１    第２トーションスプリング
６２    コイル
６３    トーションスプリング
６４    ループ
６５    端部脚部
６７    第１端部脚部
６９    第２端部脚部
７１，７３    側壁部
７５    案内路溝
７７    案内路溝
７９    端部脚部
８１    底壁部
８３    グースネック回動点
８５    フック状バンパ部材／突出フィンガ
８７    突出ショルダ
８９    後壁部
９１    把持プレート
９３    フック部材
９５    下方に伸びる裾部
９７    上方に伸びる裾部
９９    当接先端
１０１    片持ちシャフト
１０３    片持ちシャフト
１０５    半円形のジャーナル部材
１０７    三角形状開口
１０９    壁部
１１１    壁部
１１３    張力を常時保つスプリング
１１５    ジャーナル表面
１１７    端部キャップ
１１９    傾斜表面
１２１    リング形状バンパ
１２３    後縁部
１２５    片持ちシャフト
１２５ａ    大径
１２７    止め歯用キャビティ
１２９    回動孔
１３１    スプリング用キャビティ
１３３    僅かな内方傾斜
１３５    頂壁部
１３７    ハウジングの下位アセンブリ
１３９    扉パネル
１４１    付勢スプリング用スロット
１４３    ストライカ係合用スロット
１４５    後側捕捉フィンガ
１４７    スプリング用係合部材
１４９    ストライカ・アセンブリ
１５１    ワイヤ・ストライカ
１５３    動作矢印
１５５    移動アーム
【図１】
0004673330.tif 000002
【図２】
0004673330.tif 000003
【図３】
0004673330.tif 000004
【図３ａ】
0004673330.tif 000005
【図３ｂ】
0004673330.tif 000006
【図４】
0004673330.tif 000007
【図５】
0004673330.tif 000008
【図６】
0004673330.tif 000009
【図７】
0004673330.tif 000010
【図８】
0004673330.tif 000011
【図９】
0004673330.tif 000012
【図９ａ】
0004673330.tif 000013
【図９ｂ】
0004673330.tif 000014
【図１０】
0004673330.tif 000015
【図１１】
0004673330.tif 000016
【図１２】
0004673330.tif 000017
【図１３】
0004673330.tif 000018
【図１４】
0004673330.tif 000019
【図１５】
0004673330.tif 000020
【図１６】
0004673330.tif 000021
【図１７】
0004673330.tif 000022
【図１８】
0004673330.tif 000023
【図１９】
0004673330.tif 000024
【図２０】
0004673330.tif 000025
【図２１】
0004673330.tif 000026
【図２２】
0004673330.tif 000027
【図２３】
0004673330.tif 000028
【図２４】
0004673330.tif 000029
【図２５】
0004673330.tif 000030
【図２６】
0004673330.tif 000031
【図２７】
0004673330.tif 000032
【図２８】
0004673330.tif 000033
【図２９】
0004673330.tif 000034
【図３０】
0004673330.tif 000035
【図３１】
0004673330.tif 000036
【図３２】
0004673330.tif 000037
【図３３】
0004673330.tif 000038
【図３４】
0004673330.tif 000039
【図３５】
0004673330.tif 000040
【図３６】
0004673330.tif 000041
【図３７】
0004673330.tif 000042
【図３８ａ】
0004673330.tif 000043
【図３８ｂ】
0004673330.tif 000044
【図３８ｃ】
0004673330.tif 000045
【図３８ｄ】
0004673330.tif 000046
【図３８ｅ】
0004673330.tif 000047
【図３９ａ】
0004673330.tif 000048
【図３９ｂ】
0004673330.tif 000049
【図３９ｃ】
0004673330.tif 000050
【図３９ｄ】
0004673330.tif 000051
【図３９ｅ】
0004673330.tif 000052
【図４０ａ】
0004673330.tif 000053
【図４０ｂ】
0004673330.tif 000054
【図４０ｃ】
0004673330.tif 000055
【図４０ｄ】
0004673330.tif 000056
【図４１ａ】
0004673330.tif 000057
【図４１ｂ】
0004673330.tif 000058
【図４１ｃ】
0004673330.tif 000059
【図４２ａ】
0004673330.tif 000060
【図４２ｂ】
0004673330.tif 000061
【図４２ｃ】
0004673330.tif 000062
【図４２ｄ】
0004673330.tif 000063
【図４３】
0004673330.tif 000064
【図４４ａ】
0004673330.tif 000065
【図４４ｂ】
0004673330.tif 000066